(57)【要約】      （修正有）【課題】時間帯毎のエレベーターの利用状態を学習して、利用状況に合わせて、エレベーターの運転制御を行うエレベーター制御装置を提供する。【解決手段】エレベーター利用状況を時間帯毎に常に学習的に利用状況データテーブルに記録し、エレベーター利用時はこの記録した内容に合わせて制御設定テーブルについて自動的にドアの開時限、開閉速度、走行時の加速度、減速度を変更する手段を備えて、エレベーターを動作させるようにした。【選択図】図１
2007001733.tif 000002
【特許請求の範囲】
【請求項１】
エレベーターの動作を制御するエレベーター制御装置において、時間帯毎のエレベーター運転状態及びドアの開閉状態を利用状況データテーブルに記録する手段と、前記利用状況データテーブルを読み出し、エレベーターの利用状況から、時間帯毎の利用者層を特定する手段と、エレベーターの利用状況と前記利用者層に合わせて、ドア開時限、ドアの開閉速度、走行時の加速度、減速度の設定を自動的に変更する手段を備えることを特徴としたエレベーター制御装置。
【発明の詳細な説明】
【技術分野】
【０００１】
本発明は時間帯毎のエレベーターの利用状態を学習して、利用状況に合わせて、エレベーターの運転制御を行うエレベーター制御装置に関する。
【背景技術】
【０００２】
一般的にエレベーターのドアは、ドア開動作終了から所定のドア開時限を経過すると、ドア閉動作を開始する。また、ドアの開閉動作は所定のドア開閉速度で行われる。また、エレベーターの走行は、所定の加速度により加速して最高速度に達し、所定の減速度により減速して停止するようになっている、これらのドア開時限、ドア開閉速度、走行時の加速度、減速度は、乗客の輸送能率に影響するので、エレベーターの利用状況に合った適切な値に設定しなくてはならない。
【０００３】
エレベーターの利用状況は時間帯により利用者層が異なることが多く、例えば通勤者が多く利用する時間帯、通学者が多く利用する時間帯、年配者が多く利用する時間帯などが考えられる。乗客の輸送能率は、ドア開時限の設定を短くしたり、ドアの開閉速度の設定を速くする等して、ドアの開閉動作を早くすることで向上させることができる。しかし、年配者や小さい子供が利用する時に、ドアの開閉動作が早い場合は、閉じるドアに挟まれたり、ドアに当たる等、事故につながる可能性がある。そこで従来では、エレベーターの時間帯毎の利用状況により、ドアの開時限を適切な値に変更する方法が提案されている（特許文献１参照）。
【特許文献１】特開平０５−３３８９７０号
【発明の開示】
【発明が解決しようとする課題】
【０００４】
上記提案されたものは、ドアの開閉速度を変更することができず、ドアの開閉速度が速いエレベーターの場合、年配者や小さい子供は、閉じるドアに当たる危険があるという問題がある。また、年配者は、通常のエレベーターの加速度、減速度で走行した場合、加速時及び減速時に不快に感じることという問題もある。
【０００５】
本発明の目的は、エレベーターの利用状況に合わせて、ドアの開閉制御及び、エレベーター走行制御を最適に行うエレベーター制御装置を提供することにある。
【課題を解決するための手段】
【０００６】
前記目的は、エレベーター制御装置において、乗客が乗り降りする際の、ドアが開いている時間の平均値、エレベーターの起動回数、ドア開延長釦の動作回数及びセフティシュー動作回数を計測する計測手段と、前記計測手段で計測した値を時間帯毎及び階床毎に登録する利用状況データテーブルと、現在のエレベーターの状態から前記利用状況データテーブルの該当する値を検索する検索処理と、前記検索処理により抽出した値から最適なドア開時限、ドア開閉速度、走行時の加速度、減速度を算出する最適値算出手段と、前記最適値算出手段に算出したドア開時限、ドア開閉速度、加速度、減速度を書き換える書換手段を設けることにより達成される。
【発明の効果】
【０００７】
このような構成なので、計測手段により計測したそれぞれの値は、常に利用状況データテーブルへ登録を行い、学習的に書き換えられ、エレベーターの利用状況に応じて、ドアの開時限、ドア開閉速度、走行時の加速度、減速度を最適に設定することが可能となり、エレベーターの運転効率を向上させながら、ドア開閉時の事故低減及び、利用者に応じて乗り心地を優先する走行を行うことができる。
【発明を実施するための最良の形態】
【０００８】
以下、図面を参照して本発明の一実施形態を詳細に説明する。図１，図２，図３，図４，図５，図６はそれぞれ本発明の実施形態に係るエレベーター制御装置の構成を示すブロック図、図７は同じく、動作を示す流れ図を示す説明図である。
【０００９】
図１で、１はエレベーターの乗りかごで、２は乗りかご１のドア、３はエレベーター制御装置で、エレベーター制御装置３は、４のインターフェイスと、５のＲＯＭと、６のＣＰＵと、７のＲＡＭで構成される。図２の８は、乗りかご１に備えられる運転盤で、運転盤８には、ドアを開く開釦９と、ドアを閉じる閉釦１０，かごの行き先を決定するかご呼び釦１１と、ドアを長時間開くための開延長釦１２を備えている。図３は、各階床の乗り場に設置される乗りかご１を呼び出す為のＵＰ呼び釦１３とＤＮ呼び釦１４。乗りかご１と各階床に設置されるＵＰ呼び釦１３とＤＮ呼び釦１４は、インターフェース４を介してＣＰＵ６に接続され、ドア２の動作状態を示す信号の入力および、開釦９，閉釦１０、呼び釦１１、開延長釦１２、ＵＰ呼び釦１３、ＤＮ呼び釦１４の入力を行う。また、インターフェース４を介して、ドア２に開指令、閉指令を出力し、ドアの開閉動作を行う。図４の１５は、ドアの開閉制御の設定値及び走行時の加速減速制御の設定値を格納する制御設定テーブルで、この設定値に合わせてエレベーターは、ドアの開閉動作及び走行制御を行う。
【００１０】
図５の１６は、ドアの開閉制御の設定値及び走行時の加速減速制御の設定値の初期値を登録する制御設定初期値テーブル。図６の１７は、エレベーターの利用状態を記録する利用状況データテーブルで、階床毎及び、時間帯毎に、ドア開時間、エレベーター起動回数、開延長釦動作回数、セフティシュー動作回数の計測値を、記録するようになっており、エレベーター制御装置３は、常時ドア開時間、エレベーター起動回数、開延長釦動作回数、セフティシュー動作回数を計測しており、常に利用状況データテーブル１７の値を更新する処理を行っている。
【００１１】
図７は利用状況に応じてドアの開閉時間、ドアの開閉速度、エレベーター走行時の加速度、減速度を変更する処理の流れ図である。ドアの開指令を監視する（Ｓ１）。ドアの開指令があった場合はＳ２へ処理が進み、現在の時刻を読み出す（Ｓ２）。次に現在の乗りかご１がある階を算出する（Ｓ３）。現在の時刻と乗りかご１の階床位置から該当する利用状況データテーブル１７を検索する（Ｓ４）。検索した利用状況データテーブル１７からドア開平均時間、起動回数、セフティシュー動作回数、ドア開延長釦動作回数を読み出す（Ｓ５）。ステップＳ５で読み出したドア開平均時間を、制御設定テーブル１５のドア開時限に設定する（Ｓ６）。これによりドアが開いている時間を実際に利用状況に合わせた時限に設定することができる。次にステップＳ７では、制御設定初期値テーブル１６よりドア開時限初期値を読み出し（Ｓ７）、ステップＳ８では、Ｓ５で読み出したドア開平均時間と比較し、ドア開平均時間がドア開時限初期値より短い場合、乗客は急いでいることが多いと考えられるため、ステップＳ１３ヘ進み、制御設定テーブル１５のドア開閉速度、エレベーター走行時の加速度、減速度を標準に設定する（Ｓ１３）。ステップＳ８での比較の結果ドア開閉時間がドア開時限初期値より長い場合、乗客は乗り降りに時間を要していることが考えられ、次にステップＳ９に処理が進み、起動回数に対する開延長釦の動作の割合を算出し、例えば１０％を越える動作回数であった場合、年配者の利用が多いことが考えられるため、ステップＳ１０へ進み、ドアの事故を防止するため、制御設定テーブルのドアの開閉速度を遅い設定とし、さらにエレベーター走行時の加速度、減速度を低い設定とし、走行時の乗り心地を向上させる（Ｓ１０）。ステップＳ９の処理で、起動回数に対して開延長釦の動作が１０％未満と低い場合、ステップＳ１１へ処理が進む（Ｓ９）。ステップＳ１１では、起動回数に対するセフティシュー動作回数の割合を算出し、例えば１０％を越える動作回数であった場合、小さい子供の利用が多いことが考えられるため、ステップＳ１２へ進み、ドアの事故を防止するため、制御設定テーブル１５のドア開閉速度を遅い設定とし、エレベーター走行時の加速度、減速度は標準の設定とする（Ｓ１２）。制御設定テーブル１５の設定を完了すると、ステップＳ１４へ進み、ドアの開閉動作を行う。
【００１２】
以上のように、エレベーター利用状況を時間帯毎に常に学習的に記録し、エレベーター利用時はこの記録した内容に合わせて自動的にドアの開閉制御、走行制御を変更して、エレベーターが動作するため、実際のエレベーターの利用状況に合わせ、安全に効率よく乗客が輸送を行うことができる。
【図面の簡単な説明】
【００１３】
【図１】本発明の一例を示すブロック図である。
【図２】乗りかご内の設置される運転盤の図である。
【図３】各階床の乗り場に設置される乗りかご呼び釦の図である。
【図４】制御設定テーブルの構成図である。
【図５】制御設定初期値テーブルの構成図である。
【図６】利用状況データテーブルの構成図である。
【図７ａ】本発明の動作を示す流れ図である。
【図７ｂ】本発明の動作を示す流れ図である。
【符号の説明】
【００１４】
１  乗りかご
２  ドア
３  エレベーター制御装置
４  インターフェース
５  ＲＯＭ
６  ＣＰＵ
７  ＲＡＭ
８  運転盤
９  開釦
１０  閉釦
１１  かご呼び釦
１２  開延長釦
１３  ＵＰ呼び釦
１４  ＤＮ呼び釦
１５  制御設定テーブル
１６  制御設定初期値テーブル
１７  利用状況データテーブル
【図１】
2007001733.tif 000003
【図２】
2007001733.tif 000004
【図３】
2007001733.tif 000005
【図４】
2007001733.tif 000006
【図５】
2007001733.tif 000007
【図６】
2007001733.tif 000008
【図７ａ】
2007001733.tif 000009
【図７ｂ】
2007001733.tif 000010